(57)【要約】【課題】簡単な構造により既設サッシなどが屋外側に露出しないようにする。【解決手段】既設サッシＡの上下枠２、３及び縦枠４の内方にそれぞれベース材４０、４１、４２を固定し、該ベース材によって構成されたベース枠Ｃの内方に新設サッシＢを固定したリフォームサッシにおいて、上記ベース枠Ｃの屋外側に取付アタッチメント６１を取り付け、この取付アタッチメント６１の屋外側に、上記ベース枠Ｃと既設サッシＡの屋外側をカバーする化粧カバー材５４、５５、５６を取り付けたことを特徴とする。【選択図】図１
2008223286.tif 000002
【特許請求の範囲】
【請求項１】
既設サッシの上下枠及び縦枠の内方にそれぞれベース材を固定し、該ベース材によって構成されたベース枠の内方に新設サッシを固定したリフォームサッシにおいて、上記ベース枠の屋外側に上記ベース枠と既設サッシの屋外側をカバーする化粧カバー材を取り付けたことを特徴とするリフォームサッシ。
【請求項２】
上記化粧カバーは、上記ベース枠の屋外側に固定された取付アタッチメントの屋外側に取り付けられたことを特徴とする、請求項１に記載のリフォームサッシ。
【請求項３】
上記取付アタッチメントは上記ベース枠の四隅に固定された短尺の部材であることを特徴とする、請求項１又は２に記載のリフォームサッシ。
【請求項４】
上記化粧カバー材は上記取付アタッチメントに嵌合固定されたことを特徴とする、請求項１〜３のいずれかに記載のリフォームサッシ。
【請求項５】
上記化粧カバー材は横通しとし、縦カバー材は上下カバー材に飲み込まれていることを特徴とする、請求項１〜４のいずれかに記載のリフォームサッシ。
【請求項６】
上記上下カバー材の端部にはキャップが固定されたことを特徴とする、請求項５に記載のリフォームサッシ。
【発明の詳細な説明】
【技術分野】
【０００１】
本発明は、既設サッシを新しいサッシに代えるに際し、既設サッシを取り付けた状態のまま新しいサッシを取り付けた場合に、既設サッシ及び新設サッシの取り付け部分が屋外側に露出するのを防いで外観体裁を良好にするためのリフォームサッシに関する。
【背景技術】
【０００２】
既設サッシを新しいサッシに代える場合、既設サッシを窓開口部から取り外して新しいサッシに付け替えることが考えられるが、既設サッシの取り外し作業には手間や時間や費用がかかるので煩わしい。そのため、既設サッシを窓開口部に取り付けた状態のまま新しいサッシを取り付ける改装サッシが考えられている（特許文献１、２参照）。
【０００３】
これは、既設サッシが内付けサッシの場合、下枠については、その上部屋外側に取付部材を固定し、屋内側には倒れ防止部材を固定し、上記取付部材と倒れ防止部材に新設サッシを固定するように構成されている。この場合、取付部材の上に新設サッシの下枠を支持させ、取付部材の屋外側の垂直面に新設サッシの取付フィンをネジ止めしている。なお、取付フィンは釘打ちフィンとも呼ばれ、新旧に関わらずサッシの四周に面一になるように突設されているもので、窓開口部に木ネジで固定されるように構成されている。
【０００４】
また、既設サッシは屋外側と屋内側から見えないように隠す必要がある。屋外側から既設サッシを隠す場合、上記技術では、まず複数の基部枠を上記取付フィンに共通のネジによって共締め固定し、上記基部枠の屋外側からカバー材を嵌合装着することによって行われている。
【特許文献１】特開２００５−２２１１０１公報
【発明の開示】
【発明が解決しようとする課題】
【０００５】
しかしながら、上記改装サッシによれば、新設サッシを取り付けるときに、その取付フィンとともに複数の基部枠を共締めしなければならない。取付フィンにネジ止めするたびに基部枠も共締めしなければならないので、作業が煩わしい。
【０００６】
本発明は、上記問題点を解消し、既設サッシを取り付けた状態のまま新しいサッシを取り付け可能で、しかも簡単な構造により既設サッシなどが屋外側に露出しないようにすることができるリフォームサッシを提供することをその課題とする。
【課題を解決するための手段】
【０００７】
前記課題を解決するため、請求項１に係る発明は、既設サッシの上下枠及び縦枠の内方にそれぞれベース材を固定し、該ベース材によって構成されたベース枠の内方に新設サッシを固定したリフォームサッシにおいて、上記ベース枠の屋外側に上記ベース枠と既設サッシの屋外側をカバーする化粧カバー材を取り付けたことを特徴とする。
【０００８】
請求項２に係る発明は、上記化粧カバーは、上記ベース枠の屋外側に固定された取付アタッチメントの屋外側に取り付けられたことを特徴とする、請求項１に記載のリフォームサッシ。
【０００９】
請求項３に係る発明は、請求項１において、上記取付アタッチメントは上記ベース枠の四隅に固定された短尺の部材であることを特徴とする。
【００１０】
請求項４に係る発明は、請求項１〜３において、上記化粧カバー材は上記取付アタッチメントに嵌合固定されたことを特徴とする。
【００１１】
請求項５に係る発明は、請求項１〜４のいずれかにおいて、上記化粧カバー材は横通しとし、縦カバー材は上下カバー材に飲み込まれていることを特徴とする。
【００１２】
請求項６に係る発明は、請求項５において、上記上下カバー材の端部にはキャップが固定されたことを特徴とする、請求項５に記載のリフォームサッシ。
【発明の効果】
【００１３】
請求項１に係る発明によれば、ベース枠の屋外側に化粧カバーを取り付ける構成であるから、取付アタッチメントは新設サッシの取付作業が終了した後にベース枠の屋外側に取り付ければよい。したがって、早めに新設サッシの取り付けを終了したいという作業者の心理的負担が軽減される。また、化粧カバー材によって既設サッシ及び新設サッシの取り付け部分が屋外側に露出するのが防止されるので外観体裁がよい。
【００１４】
請求項２に係る発明によれば、化粧カバーは、ベース枠の屋外側に固定された取付アタッチメントの屋外側に取り付けられたものであるから、その作業は新設サッシの取付作業が終了した後に行うことができる。
【００１５】
請求項３に係る発明によれば、取付アタッチメントはベース枠の四隅に固定された短尺の部材であるから、ベース枠を構成する上下ベース材及び縦ベース材のそれぞれの両端に１個ずつの合計わずか８個の取付アタッチメントを取り付ければよい。したがって、取付アタッチメントの取り付け作業を容易、迅速に行うことができる。
【００１６】
請求項４に係る発明によれば、化粧カバー材は上記取付アタッチメントに嵌合固定された構成であるから、面倒なネジ止め作業を要しない。したがって、化粧カバーの取り付け作業を容易、迅速に行うことができる。
【００１７】
請求項５に係る発明によれば、化粧カバー材は横通しとし、縦カバー材は上下カバー材に飲み込まれているので、縦カバー材と上下カバー材の連結にジョイント部材やネジを使用する必要がなく、作業を迅速に行うことができるだけでなく、縦カバー材にはキャップを取り付ける必要がないので、見栄えもよい。
【００１８】
請求項６に係る発明によれば、上記上下カバー材の端部にはキャップが固定されているから、縦カバー材の飲み込み部分を体裁よく処理することができる。
【発明を実施するための最良の形態】
【００１９】
図１は本発明に係るリフォームサッシの縦断面図、図２は横断面図であり、図３及び図４はそれぞれ縦断面と横断面の分解図である。
【００２０】
［既設サッシの構成］
上図において符号Ａは既設サッシを示す。この既設サッシＡは建物躯体の窓開口部１に設けられた高窓タイプの内付けサッシで、上枠２、下枠３及び左右の縦枠４とから方形に枠組みされている。上枠２は、上枠本体２ａの屋外側から外方に突出する釘打ちフィン５ａが形成され、屋外側と屋内側の内方には内障子と外障子の案内片６が形成され、屋外側端部には網戸の案内片７、屋内側端部には係合片８が垂下形成されている。そして、上記釘打ちフィン５ａが窓開口部１のまぐさ１１の屋外端面にネジ止め固定されているとともに、上枠本体２ａの屋内側がまぐさ１１の下面からネジ止め固定されている。
【００２１】
下枠３は、下枠本体３ａの屋外側には外方に突出する釘打ちフィン５ｂが形成され、屋外側端部には網戸レール１２、屋外側と屋内側の内方には内障子用内レール１３と外障子用外レール１４が段状に形成され、屋内側端部の上部には外レール１４と同じ高さの立上り片１５が、下部には前倒れ防止用の取付片１６が形成されている。そして、上記釘打ちフィン５ｂが窓開口部１の窓台１０の屋外端面にネジ止め固定されているとともに、取付片１６が窓台１０の上面からネジ止め固定されている。
【００２２】
縦枠４は、縦枠本体４ａの中間部には外方に突出する釘打ちフィン５ｃが形成され、釘打ちフィン５ｃと反対側の内方には内障子と外障子の案内片１７が形成され、屋内側端部には係合片１８が形成されている。そして、上記釘打ちフィン５ｃが窓開口部１の柱９の屋外側端面にネジ止め固定されている。
【００２３】
上記構成により、既設サッシＡの屋外側の端部は面一になるように形成されている。なお、既設サッシＡの屋内側には木製の額縁２０が配設されている。
【００２４】
［新設サッシの構成］
次に、符号Ｂは新設サッシで、この新設サッシＢはリフォーム専用ではなく、半外付けの一般的サッシである。
【００２５】
上枠２１は、上枠本体２１ａの中間部から外方に突出する釘打ちフィン２４ａが形成され、釘打ちフィン２４ａをはさんで屋外側と屋内側の内方には内障子と外障子の案内片２５が形成され、屋外側端部には網戸の案内片２６、屋内側端部には合成樹脂製のアングル材２７が一体に取り付けられている。
【００２６】
下枠２２は、下枠本体２２ａの中間部には外方に突出する釘打ちフィン２４ｂが形成され、釘打ちフィン２４ｂをはさんで屋外側と屋内側の内方には内障子用内レール３０と外障子用外レール３１が形成され、屋外側端部には網戸レール３２、屋内側端部の上部には立上り片３３が、下部には取付片３４が形成されている。立上り片３３の上部には合成樹脂製のアングル材３５が係止固定されている。
【００２７】
縦枠２３は、縦枠本体２３ａの中間部に外方に突出する釘打ちフィン２４ｃが形成され、釘打ちフィン２４ｃと反対側の内方には内障子と外障子の案内片３６が形成されている。縦枠本体２３ａの屋外側と屋内側の端部は断面がＴ字形に形成されている。
枠組みされたとき、釘打ちフィン２４ａ、２４ｂ、２４ｃは新設サッシＢの外周に面一になる。
【００２８】
なお、上下枠２１、２２と縦枠２３の屋内側には合成樹脂製の樹脂ブロック３７ａ、３７ｂ及び３７ｃが固定されるが、これらの取付作業は上下枠２１、２２と縦枠２３の取付作業が終了した後に行う。まず、両側に縦ブロック３７ｃを取り付け、その間に上下ブロック３７ａ、３７ｂを入れ込んでアングル側からネジで止めればよい。
【００２９】
［ベース材］
次に、新設サッシＢはベース枠Ｃを介して既設サッシＡ上に取り付けられる。ベース枠Ｃは上ベース材４０、下ベース材４１及び縦ベース材４２から方形に枠組みされ、それぞれアルミニウムの押出型材からなり、中央の取付壁４３をはさんで平坦部４４、４５を形成してなるもので、取付壁４３は窓開口部１の面方向と平行に形成され、平坦部４４、４５は窓開口部１の面方向と垂直に形成されるものである。屋外側の平坦部４５は取付壁４３の外方端（窓開口部１の周面に近い側の端部）から屋外側に延出されている。屋内側の平坦部４４は取付壁４３の内方端（窓開口部１の周面から遠い側の端部）から屋内側に延出されている。また、下ベース材４１の屋外側の平坦部４５は、さらに屋内側の水平部４５ａと屋外側のわずかに斜めに形成された緩斜面部４５ｂとから構成され、平坦部４５の先端からは当接片４６が取付壁４３と平行に垂下形成されている。取付壁４３と屋内側平坦部４４の底辺部４４ａと屋外側平坦部４５の水平部４５ａとは、他の部分に比べて肉厚に形成されている。また、上記当接片４６の先端は屋内側に屈曲して係止片４７が形成されている。さらに、上記屋内側の平坦部４４は中空に形成され、上ベース材４０と下ベース材４１の屋外側中空部４８には、長手方向に沿って内方に開口する溝４９が形成されている。なお、下ベース材４１の屋外側端部の当接片４６から取付壁４３までの長さは、既設サッシＡの下枠３の網戸レール１２から外レール１４と内レール１３の間の外レール１４寄りの位置（外レール１４上でもよい）までの長さとする。
【００３０】
上ベース材４０、下ベース材４１及び縦ベース材４２の幅寸法はすべて同じに設定され、また上記屋外側の端部から取付壁４３までの寸法及び取付壁４３から屋内側の端部までの寸法も同じ長さに設定されている。
【００３１】
［リフォームサッシの施工方法］
次に、既設サッシＡに新設サッシＢを取り付けるにあたっては、まず既設サッシＡの内周面に沿ってベース枠Ｃを配設する。その際、図１〜図５に示されるように、下ベース材４１を上記下枠３上に取り付けるときは、屋外側の水平な平坦部４５を外レール１４の上に載置して支持させ、屋内側の水平な平坦部４４を内レール１３と立上り片１５の上に載置して支持させる。そして、屋外側の端部の当接片４６を網戸レール１２に当接させて位置出しをする。このとき、下ベース材４１の取付壁４３は、既設サッシＡの下枠３の外レール１４と内レール１３の間の外レール１４寄りに位置する。位置決め後、屋内側の平坦部４４から長いネジ５０で既設サッシＡとともに窓台１０に一体的にネジ止めする。このとき、ネジ５０は上記平坦部４４の上面部の作業孔（図示せず）から挿通し、頭部が中空部４８の底部に達するまでねじ込むようにするのが好ましい。
【００３２】
次に、上ベース材４０は、屋外側の端部の当接片４６を既設サッシＡの上枠２の網戸案内片７に係合させて位置出しをし、下ベース材４１と同様に、屋内側の平坦部４４から長いネジ５０では既設サッシＡとともにまぐさ１１に一体的にネジ止めする。
【００３３】
さらに、縦ベース材４２は、屋外側の端部を既設サッシＡの縦枠４の屋外側端面に合わせて位置出しをすればよいが、安定的に固定するため、図６に示されるように、縦ベース材４２の上端と下端に位置出し用の係合板５１を固定して上方と下方に突出させ、これを下ベース材４１及び上ベース材４０の溝４９に係合させればよい。７０は係合板５１の位置決め用ノッチである。これにより、縦ベース材４２は容易且つ確実に所定の位置に安定的に位置決めされる。その後、屋内側の平坦部４４から長いネジ５０で既設サッシＡとともに柱に一体的にネジ止めすることにより、所定の位置に固定される。なお、係合板５１は縦ベース材４２の上端又は下端の一方にのみ固定して位置出しするようにしてもよい。
【００３４】
上記構成により、上ベース材４０、下ベース材４１及び縦ベース材４２は既設サッシＡの下枠３の網戸レール１２を基準として、既設サッシＡの内周面に沿って配設されてベース枠Ｃが組み立てられ、取付壁４３は面一に揃えられる。
【００３５】
次に、上記ベース枠Ｃに新設サッシＢを取り付ける場合、まず新設サッシＢを方形に枠組みして窓開口部１のベース枠Ｃに嵌合させ、新設サッシＢの下枠２２を下ベース材４１の屋内側の平坦部４４上に載置する。そして、新設サッシＢの上下枠２１、２２と縦枠２３の中間部の釘打ちフィン２４ａ、２４ｂ、２４ｃを取付壁４３に当接してネジ５２で固定する。また、下枠２２は図５に示されるように、屋内側端部の取付片３４を下ベース材４１の平坦部４４にネジで固定し、上枠２１と縦枠２３は調整材５３を介して上ベース材４０と縦ベース材４２にネジ止めする。これにより、新設サッシＢはベース枠Ｃに固定される。
【００３６】
さらに、新設サッシＢの屋内側に合成樹脂製の長尺の樹脂ブロック３７ｂを固定する。上下の樹脂ブロック３７ａ、３７ｂは上下枠２１、２２のアングル材２７、３５にネジ止め固定し、縦の樹脂ブロック３７ｃも同様とする。これによって各樹脂ブロック３７ａ、３７ｂ、３７ｃはベース材４０、４１、４２の屋内側の端面と面一になるように配置される。
【００３７】
上述の構成によれば、新設サッシＢを施工するにあたり、既設サッシＡにはベース枠Ｃを取り付け、ベース枠Ｃ内に新設サッシＢを嵌合配置して釘打ちフィン２４ａ、２４ｂ、２４ｃを取付壁４３にビス止め固定すればよいので、手間がかからず、施工が容易である。
【００３８】
しかも、一般にサッシの外周面には釘打ちフィンが設けられているが、これに対応してベース枠Ｃには取付壁４３が設けられているので、ベース枠Ｃには、専用サッシではなく一般サッシであっても取り付けることができるとともに、その取付けは慣れた作業となり、容易迅速に行うことができる。
【００３９】
また、ベース枠Ｃの屋内側には合成樹脂製の室内額縁５７、５８、５９を設け、上記各樹脂ブロック３７ａ、３７ｂ、３７ｃと室内額縁５７、５８、５９とを一体的に配置されているから、既設サッシＡと下ベース材４１と新設サッシＢがともに金属製であっても、リフォームサッシを施工することにより全体として断熱性の高いサッシが得られる。したがって、障子を断熱障子にすれば、全体を断熱窓にすることができる。
【００４０】
［外観の化粧処理］
次に、上述の段階では、屋内側と屋外側にはベース枠Ｃや既設サッシＡが見えるので、内観と外観の体裁をよくするため、新設サッシＢの屋外側の外周は上下カバー材５４、５５及び縦カバー材５６からなる化粧カバー材によって隠し処理が施され、また屋内側は上下及び縦の室内額縁５７、５８、５９によって隠し処理が施されている。
【００４１】
カバー材５４、５５、５６はそれぞれ略板状のアルミニウム押出型材からなり、幅方向の一側寄りに１対の嵌合片６０が形成されている。カバー材５４、５５、５６は取付アタッチメント６１を介して上下及び縦の各ベース材４０、４１、４２に取り付けられている。取付アタッチメント６１は断面がＣ字形のアルミニウム押出型材からなり、先端部には突部６２が向き合いに形成されている。取付アタッチメント６１は中央部が各ベース材の両端の屋外側端部にネジ止め固定されている。したがって、図７及び図８に示すように四隅に計８個が取り付けられる。そして、４個のカバー材５４、５５、５６はそれぞれ対応する取付アタッチメント６１の先端の突部６２の内側に嵌合片６０を嵌合させることにより固定され、上部カバー材５４と下部化粧カバー材５５との間に縦化粧カバー材５６を横通しで取り付けられる。図９に示されるように、縦カバー材５６の両端部は上下カバー材５４、５５に飲み込まれている。８０はキャップである。
【００４２】
上記構成の外観化粧処理によれば、新設サッシＢとベース枠Ｃとの間及びベース枠Ｃと既設サッシＡとの間の部分はカバー材５４、５５、５６によって覆われ、屋外側からカバーされる。したがって、図１０に示されるように、外観体裁がよい。
【００４３】
また、取付アタッチメント６１はベース枠Ｃの四隅に固定された短尺の部材であるから、ベース枠Ｃを構成する上下ベース材４０、４１及び縦ベース材４２のそれぞれの両端に１個ずつの合計わずか８個の取付アタッチメント６１を取り付ければよい。したがって、取付アタッチメント６１の取り付け作業を容易、迅速に行うことができる。
【００４４】
さらに、カバー材５４、５５、５６は上記取付アタッチメント６１に嵌合固定された構成であるから、面倒なネジ止め作業を要しない。したがって、化粧カバーの取り付け作業を容易、迅速に行うことができる。
【００４５】
さらにまた、カバー材５４、５５、５６は横通しとし、縦カバー材５６は上下カバー材５４、５５に飲み込まれているので、縦カバー材５６と上下カバー材５４、５５の連結にジョイント部材やネジを使用する必要がなく、作業を迅速に行うことができるだけでなく、見栄えもよい。
【００４６】
［内観の化粧処理］
次に、新設サッシＢの屋内側は合成樹脂製の室内額縁５７、５８、５９によってカバーされている。これにより、新設サッシＢとベース枠Ｃとの間及びベース枠Ｃと既設サッシＡとの間の部分は室内額縁５７、５８、５９によって覆われ、屋内側から隠蔽される。後は新設サッシＢ内に内障子ａ、外障子ｂと網戸ｃを納めれば完成する。
【００４７】
［その他］
次に、既設サッシＡが半外付けサッシである場合の対応を下枠部分について説明する。なお、上枠、縦枠部分は前述の例と同様、下枠に準じて構成すればよいので、説明は省略する。また、上図と同じ符号は同じ部材を示すものとする。
【００４８】
図１１において既設サッシＡは高窓タイプの半外付けサッシで、基本的構成は上述の内付けサッシと同じであるが、主に釘打ちフィンの位置が屋内側に寄っている点と下枠の網戸レール１２がより低い点で異なっている。
【００４９】
新設サッシＢは上述の半外付けサッシと同じである。
【００５０】
また、上下及び側部のベース材およびこれらのベース材によって構成されたベース枠Ｃも上述のものと同じである。但し、下ベース材４１の屋外側端部に形成された当接片４６と係止片４７にはピース部材７１が取り付けられている。
【００５１】
上記既設サッシＡにベース枠Ｃを形成し、さらにその内側に新設サッシＢを嵌合してネジ等で固定する取付手順も上述と同じである。
【００５２】
なお、既設の半外付けサッシの網戸レール１２は内付けサッシのものと比べて低いので、下ベース材４１の当接片４６を直接に網戸レール１２に当接させることはできない。位置決め用のピース部材７１を介して網戸レール１２に当接させればよい。
【００５３】
このように、下ベース材４１の屋外側端部の当接片４６と既設サッシＡの下枠の網戸レール１２とを位置決め用ピース部材７１を介して係合させることにより位置決め可能であり、ピース部材７１は着脱が可能となっているから、工場出荷時には取り付けておき、不要なときは取り外して使用すればよい。
【００５４】
以上のように、上記リフォームサッシ構成によれば、既設サッシＡが内付けサッシであっても半外付けサッシであっても対応することができる。
【００５５】
また、図１２は新設サッシとして面格子付きサッシＢを取り付けた例で、面格子付きサッシＢは屋外側に面格子７７を取り付けるための枠が張り出し、そこからアーム７２が突出しているが、上下部及び側部のいずれのベース材４０、４１、４２等も新設サッシＢの屋外側に干渉することはないので、新設サッシＢが屋外側に張り出していても、その取り付けになんら支障はない。したがって、上記リフォームサッシ構成によれば、面格子付きサッシにも適用することができる。
【００５６】
さらに、図１３は新設サッシとして嵌め殺しサッシＢを取り付けた例で、同じ構成、同じ手順で取り付けることができる。なお、引き違いサッシであるかないかはサッシ枠の内部の障子の問題であるから、取付態様については全て同じような扱いでよい。
【００５７】
なお、上記いずれの場合も、化粧カバー材の上下及び縦のカバー材５４、５５、５６は前述の形態と同様の手順、要領によって取り付ければよい。
【図面の簡単な説明】
【００５８】
【図１】本発明に係るリフォームサッシの縦断面図
【図２】上記リフォームサッシの横断面図
【図３】図１の要部の分解図
【図４】図２の要部の分解図
【図５】図１の下枠部分の拡大図
【図６】縦枠の位置出し態様説明図
【図７】取付アタッチメントの取付態様の拡大斜視図
【図８】取付アタッチメントの取付態様を示す斜視図
【図９】縦カバー材と下カバー材との連結部の拡大図
【図１０】新設サッシを取り付けた状態の外観斜視図
【図１１】既設サッシが半外付けの場合の取付態様を示す縦断面図
【図１２】面格子サッシの取付態様を示す縦断面図
【図１３】嵌め殺しサッシの取付態様を示す縦断面図縦断面図
【符号の説明】
【００５９】
Ａ    既設サッシ
Ｂ    新設サッシ
Ｃ    ベース枠
５４  上カバー材
５５  下カバー材
５６  縦カバー材
６１  取付アタッチメント
【図１】
2008223286.tif 000003
【図２】
2008223286.tif 000004
【図３】
2008223286.tif 000005
【図４】
2008223286.tif 000006
【図５】
2008223286.tif 000007
【図６】
2008223286.tif 000008
【図７】
2008223286.tif 000009
【図８】
2008223286.tif 000010
【図９】
2008223286.tif 000011
【図１０】
2008223286.tif 000012
【図１１】
2008223286.tif 000013
【図１２】
2008223286.tif 000014
【図１３】
2008223286.tif 000015